(57)【特許請求の範囲】
【請求項１】
水平状の基部とこの基部から長手方向に沿って２列の支持壁部が立設された基体と、この基体の２列の支持壁部に一対のクランクを有する平行リンク機構を介して平行移動可能に支持され前記基体の基部に当接可能の押圧板と、前記基体の２列の支持壁部に揺動可能に支持される操作レバーと、前記平行リンク機構の間に位置し前記操作レバーに連動して前記押圧板を平行移動させると共に前記操作レバーの押し下げ位置において前記押圧板を前記基体の基部に押圧するリンクばねと、前記リンクばねに設けらればね材を巻回して形成されたばね部と、前記支持壁部の側方から前記ばね部に挿脱可能なロック軸とを備えることを特徴とする綴具。
【請求項２】
リンクばねは、基体に保持されるばね部と、このばね部の一端から延出され操作レバーに連結される連動端部と、ばね部の他端から延出され押圧板に係合する押圧端部とを有し、前記押圧端部は先端部が基体の基部方向に向けて屈曲されていることを特徴とする請求項１記載の綴具。
【請求項３】
平行リンク機構の一対のクランクは、腕部の一側から一方向に突設され基体の支持壁部に枢支される枢支軸と、腕部の他側から他方向に突設され前記枢支軸と段違い平行状態の保持軸とを有し、クランクの通常の揺動範囲において脱落防止されていることを特徴とする請求項１または２記載の綴具。
【請求項４】
基体、操作レバー、押圧板、平行リンク機構のクランクおよびロック軸はプラスチックから形成されていることを特徴とする請求項１乃至３記載の綴具。
【請求項５】
基体の中心寄りの支持壁部に、ファイルの台紙に綴具を固定するための取付具を挿入する取付穴を穿設することを特徴とする請求項１乃至４記載の綴具。
【請求項６】
請求項１乃至５記載の綴具を、着脱可能な取付具により台紙に固定することを特徴とするファイル。
【発明の詳細な説明】
【０００１】
【発明の属する技術分野】
本発明は紙葉類を押さえ込んで綴じ込む綴具に関し、特に、揺動可能の操作レバーの操作により平行移動可能の押圧板と基体との間に紙葉類を押さえ込んで綴じ込む綴具および綴具を備えるファイルに関する。
【０００２】
【従来の技術】
従来、ファイル等に固定され紙葉類を押さえ込んで綴じ込む綴具は、立ち上がり壁部および水平基部を有する金属製の基体と、この基体に揺動可能に支持される操作レバーと、前記基体に平行リンク機構を介して平行移動可能に支持され前記操作レバーに連動して基体の水平基部と共に紙葉類を押さえ込んで綴じ込む押圧板とから構成される。この種の綴具においては、紙葉類を押さえ込むために基体に押圧板を強いばね力で押圧する必要があり、基体や平行リンク機構は従来から金属製のものが用いられている。
【０００３】
【発明が解決しようとする課題】
しかしながら、前記した綴具においては、金属製の基体、プラスチック製の操作レバー等が混在しており、金属製の平行リンク機構部分はカシメ作業が必要となり、製造が煩雑になるという問題がある。また、この綴具を廃棄するときは、金属部分とプラスチック部分とを分別する必要があるが、金属のカシメ部分を分離することは容易でなく、分離作業中に怪我をする虞もあった。
【０００４】
本発明は、前記問題点を解決するためになされたものであり、プラスチック製の基体や平行リンク機構を用いても強度的に問題なく、綴具および綴具を備えるファイルの製造、組立および分解が容易にでき、廃棄時にファイルの表紙から綴具を容易に外すことができ、綴具のプラスチック部分と金属部分とを容易に分別することができる綴具および綴具を備えるファイルを提供することを目的とする。
【０００５】
【課題を解決するための手段】
前記の目的を達成するため、本発明に係る綴具は、水平状の基部とこの基部から長手方向に沿って２列の支持壁部が立設された基体と、この基体の２列の支持壁部に一対のクランクを有する平行リンク機構を介して平行移動可能に支持され前記基体の基部に当接可能の押圧板と、前記基体の２列の支持壁部に揺動可能に支持される操作レバーと、前記平行リンク機構の間に位置し前記操作レバーに連動して前記押圧板を平行移動させると共に前記操作レバーの押し下げ位置において前記押圧板を前記基体の基部に押圧するリンクばねと、前記リンクばねに設けらればね材を巻回して形成されたばね部と、前記支持壁部の側方から前記ばね部に挿脱可能なロック軸とを備えることを特徴とする。
【０００６】
リンクばねは、基体に保持されるばね部と、このばね部の一端から延出され操作レバーに連結される連動端部と、ばね部の他端から延出され押圧板に係合する押圧端部とを有し、前記押圧端部は先端部が基体の基部方向に向けて屈曲されていると好都合である。
【０００７】
平行リンク機構の一対のクランクは、腕部の一側から一方向に突設され基体の支持壁部に枢支される枢支軸と、腕部の他側から他方向に突設され前記枢支軸と段違い平行状態の保持軸とを有し、クランクの通常の揺動範囲において脱落防止されており、基体、操作レバー、押圧板および平行リンク機構のクランクはプラスチックから形成すると好ましい。基体の中心寄りの支持壁部に、ファイルの台紙に綴具を固定するための取付具を挿入する取付穴を穿設すると好適である。
【０００８】
また、本発明に係る綴具を備えるファイルは、前記のように構成される綴具を、取付ねじ等の着脱可能な取付具により台紙に固定することを特徴とする。
【０００９】
前記のように構成された綴具および綴具を備えるファイルによれば、基体は２列の支持壁部により強度的に優れ、操作レバー、平行リンク機構は２列の支持壁部により支持されているため支持が安定している。このため、紙葉類を長期にわたって安定して綴じ込むことができ、リンクばねを除くすべての部品をプラスチックにより形成しても、同様に紙葉類を長期にわたって安定して綴じ込むことができる。また、分解が容易であり、例えば廃棄時にプラスチック部品と金属部品とを容易に分別することができる。
【００１０】
【発明の実施の形態】
発明の実施の形態を図面を参照して説明する。図１は本発明に係る綴具の一実施形態の操作レバーを持ち上げた状態の概略斜視図、図２（ａ）は図１の平面図、図２（ｂ）は（ａ）のＡ−Ａ矢視図、図３は図１の右側面図、図４（ａ）は図２のＢ−Ｂ線に沿う要部拡大断面図、図４（ｂ）は押圧板の底面図、図４（ｃ）は図４（ｂ）のＣ−Ｃ拡大矢視図、図５はレバーの脱落防止機構を示し、（ａ）は脱出不能状態の一部破断側面図、（ｂ）は脱出可能状態の一部破断側面図、図６はリンクばねの取付状態を示す要部分解斜視図、図７は綴具をファイルに固定する状態を示す概略斜視図である。
【００１１】
図１〜７において、綴具１は、水平状の基部１１とこの基部から長手方向に沿って２列の支持壁部１２、１３が立設された基体１０と、この基体１０の２列の支持壁部１２、１３に一対のクランクを有する平行リンク機構２０を介して平行移動可能に支持され基体１０の基部１１に当接可能の押圧板３０と、基体の２列の支持壁部１２、１３に揺動可能に支持される操作レバー４０と、平行リンク機構２０の間に位置し操作レバー４０に連動して押圧板３０を平行移動させると共に、操作レバー４０の押し下げ位置において押圧板３０を基体１０の基部１１に押圧するリンクばね５０とを備える。
【００１２】
基体１０はＡＢＳ樹脂等のプラスチックより一体成形され、支持壁部１２は水平状の基部１１の長手方向に沿って中央部に垂直方向に立設され、また、支持壁部１３は長手方向に沿って基部１１の左端から垂直方向に立設されている。支持壁部１３は基部１１の外形に沿って緩やかな曲面で構成されている。支持壁部１２、１３には操作レバー４０およびリンクばね５０を係合する係合突起１４が突設されている。中央部の支持壁部１２の右方は紙葉類を綴じるための綴じ部１５となっており、長手方向に沿って２本の綴じ溝１６、１６が凹設されている。
【００１３】
２列の支持壁部１２、１３には平行リンク機構２０を構成する２つのクランク２１、２１を支持する受け孔が所定間隔をおいて形成され、この受け孔に２つのクランク２１、２１が揺動可能に支持されている。クランク２１、２１は腕部２２の一側から一方向に突設され基体１０の支持壁部１２、１３に枢支される枢支軸２３と、腕部２２の他側から他方向に突設され枢支軸２３と段違い平行状態の保持軸２４とを有し、枢支軸２３が２列の支持壁部１２、１３の受け孔に挿入され支持されるものである。クランク２１、２１の保持軸２４には押圧板３０を保持するための小径の保持溝２５が形成されている。なお、支持壁部１２、１３は平行状態の２列の平面状の壁で形成してもよい。
【００１４】
ここで、クランク２１、２１の脱落防止機構について、図５を参照して説明する。クランク２１、２１は前記したとおり基体１０の支持壁部１２、１３により揺動可能に支持されるものであり、基体１０の上面にはクランクが係合可能の係止溝１７、１７が凹設してある。クランク２１、２１は枢支軸２３と保持軸２４とを連結する中心線に対し、中心線と一方の長辺２６は距離ｄ１が小さく、中心線と他方の長辺２７は距離ｄ２が大きく設定されている。すなわち、中心線に対し非対称な形状となっている。クランク２１、２１の枢支軸２３側の端部は、枢支軸２３を中心とする円弧部２８と、この円弧部に連続し一方の長辺２６に連続する傾斜部２９とを形成してある。傾斜部２９は長辺２６に対し約１２０度に傾斜している。
【００１５】
そして、円弧部２８および他方の長辺２７が基体１０の係止溝１７、１７内に挿入可能に設定され、挿入時にはクランク２１、２１は枢支軸２３の軸方向に移動が不能であり、通常の揺動範囲において脱落することはないように構成されている。従って、図５（ｂ）のように、クランク２１を傾斜部２９が基体１０と平行状態になるとき、あるいは２点鎖線にて示すようにクランク２１が基体１０と平行状態のときにはクランク２１は係止溝１７から脱出しているため、軸方向の移動が可能となりクランク２１を基体１０から取り外すことができる。
【００１６】
押圧板３０はプラスチックより形成され、図４に示すようにクランク２１、２１の保持軸２４、２４が係合する受け部３１、３１がクランクの受け孔と同じ間隔で形成されている。受け部３１、３１にはクランクの保持軸２４の保持溝２５に係合し軸方向の移動を阻止すると共に脱落を防止する係止突部３２と、この係止突部を支点として保持軸２４に対して押圧板３０が傾斜することができるように支持する突部３３とが形成されている。押圧板３０の上面には前記した係止突部３２および突部３３を射出成形で形成するときの金型の抜き孔が形成されている。押圧板３０の裏面には長手方向に２本の突起３４、３５が平行に突設されており、基体１０の綴じ部１５に凹設した綴じ溝１６、１６と対応している。受け部３１、３１の中間にはリンクばね５０が係合する案内穴３６が穿設されている。
【００１７】
操作レバー４０は基体１０の２列の支持壁部１２、１３に揺動可能に支持されており、本例では平行リンク機構２０を構成する一方のクランク２１の外周に支持されている。操作レバー４０はプラスチックより形成され、断面が略Ｔ字形をしており、垂直壁部には操作レバー４０が揺動したときにリンクばね５０との干渉を避ける切り欠き４１、クランクの枢支軸２３を避ける切り欠き４２およびリンクばね５０の一端が係合して移動可能の案内溝４３が形成されている。案内溝４３は外周側より直線部４４、傾斜部４５およびロック部４６が形成されている。操作レバー４０の支点側と反対の端部には、指で押圧する押圧部４７が設けてある。操作レバー４０は断面が略Ｔ字形をしているため、強度が大きくなっている。
【００１８】
リンクばね５０はステンレス鋼、ばね鋼等のばね材より形成され、ばね材が巻回されたばね部５１と、このばね部の一端から延出形成され操作レバー４０の案内溝４３に連結される連動端部５２と、ばね部５１の他端から延出形成され押圧板３０の中央部に穿設された案内穴３６に係合する押圧端部５３とを有しており、図２（ｂ）に示されるように押圧端部５３は先端部が下方に向けて、言い換えると基体１０の方向に屈曲されている。このため押圧板３０は操作レバー４０により平行移動され、基体１０の基部１１に当接するときに傾斜状態で先ず先端部が当接するように構成されている。押圧板３０の案内穴３６の形状は、リンクばね５０の外径より大径の円弧で形成された長円穴であり、リンクばね５０の押圧端部５３が案内穴３６内で長手方向に移動可能なように構成されている。
【００１９】
リンクばね５０のばね部５１は、図２ａおよび図６に示されるように、側方より基体１０の支持壁部１３の受け孔を介してロック軸５５が挿入され、このロック軸５５がばね部と他方の支持壁部１２の受け孔を順に通過することにより支持されるものである。こうしてばね部が基体１０の２列の支持壁部１２、１３により支持されることで、リンクばねは基体１０に支持される。ロック軸５５は２つのロック爪５６、５６を有し、基体１０の下面に形成されたロック凹部（図示せず）に係合することにより基体１０に固定される。ロック軸５５もプラスチックより形成されている。このように、綴具１はリンクばね５０を除くすべての部品がプラスチックにより形成されている。
【００２０】
綴具１は前記のように構成され、例えばファイルの台紙に固定されるものである。すなわち、基体１０の下面には第２図示のように基体１０の中心寄りの支持壁部１２に対応して２つの取付穴１８、１８が穿設されており、第２、７図示のようにファイルの台紙６０を綴具１の下面に対接させ、例えばプラスドライバに対応する十字穴を有する２本の取付ねじ１９、１９を取付穴１８、１８に挿入してねじ込むことにより、台紙６０に綴具１を固定することができる。このように台紙６０に綴具１の中心寄りの支持壁部１２が固定されるため、わずかなスペースの取付け箇所で、強固に固定することができる。支持壁部の肉厚が小さい場合には図示のように半円柱状の肉厚部を形成し、この肉厚部に対応して取付穴１８、１８を穿設してもよい。なお、綴具１は台紙６０に限らず、ボード等に固定してバインダのように使用することも可能である。また、取付ねじ１９に代えて、圧入ピンやスナップフィットピンのような着脱可能な取付具により台紙に綴具を固定するように構成してもよい。
【００２１】
本発明に係る綴具１は前記した構成であり、以下に図８を参照して動作について説明する。図８は前記した綴具に紙葉類を綴じる動作説明図である。書類等の紙葉類６５を綴じるときは、綴具１を図１のように操作レバー４０を持ち上げた状態とし、基体１０の綴じ部１５上に紙葉類を載置する。操作レバー４０を手前側に揺動させると、リンクばね５０の連動端部５２は案内溝４３内を上方に向けて移動しロック部４６を通過し、リンクばね５０はばね部５１を中心に回動して平行リンク機構２０のクランク２１、２１と共に押圧板３０を平行移動させる。そして、図８（ａ）のように押圧板３０は紙葉類６５の上面に当接し、押圧板３０は先端部が下方に傾斜しているため先ず先端部が紙葉類６５に当接する。この状態は紙葉類６５がまだ綴じ込まれた状態ではなく、自由に移動することが可能である。
【００２２】
操作レバー４０をリンクばね５０に抗して押し込むと押圧板３０は紙葉類６５を押圧し、押圧板３０の先端部および先端側の突起３５が紙葉類６５を軽く保持する。操作レバー４０をさらに押し込むと、リンクばねの中心のばね部５１は捻られて押圧板３０は紙葉類６５を強く押圧し、押圧板３０はクランク２１、２１の受け部３１、３１部分で水平状態となり２本の突起３４、３５が基体１０の綴じ溝１６、１６部分を押圧して紙葉類６５を固く保持して綴じ込む。そして、操作レバー４０はリンクばね５０の連動端部５２の部分が図８（ｂ）に示されるように基体１０の係合突起１４に係合してロックされる。
【００２３】
紙葉類６５を外すときは、図８（ｂ）の状態から操作レバー４０の押圧部４７を右方に移動させると、リンクばねの連動端部５２が係合突起１４から外れ、リンクばね５０のばね力により操作レバー４０は上方に持ち上げられる。これにより押圧板３０は基体１０への押圧が解除され、紙葉類６５はフリーの状態となり自由に外すことができる。操作レバー４０をさらに上方に揺動させることによりリンクばね５０の連動端部５２は案内溝４３のロック部４６に係合し、操作レバー４０は垂直状態に保持される。このように本発明に係る綴具１によれば、紙葉類６５を極めて容易に綴じ込むことができ、取り外しも容易に行える。また、紙葉類６５を仮止め状態で移動することができるため、所定の位置に綴じ込むことが容易に行える。平行リンク機構２０は、クランク２１の枢支軸２３が２列の支持壁部１２、１３により支持されているため支持が強固であり、操作レバー４０も支持壁部１２、１３により支持されているため支持が強固であり、紙葉類６５を長期にわたって安定して綴じ込むことができる。
【００２４】
本発明に係る綴具１を組み立てるときは、基体１０の支持壁部１２、１３の間の所定位置に操作レバー４０を挿入し、クランク２１を図５（ｂ）のような状態で支持壁部１２、１３の受け孔に挿入して操作レバー４０を揺動可能に支持する。そして、他方のクランク２１も同様に支持壁部１２、１３の受け孔に挿入する。つぎに、リンクばね５０の連動端部５２を案内溝４３に係合させてクランク２１、２１の間の所定位置にばね部５１を位置させ、支持壁部１３の側方よりロック軸５５を挿入してばね部５１を支持する。このあと、リンクばね５０の押圧端部５３を押圧板３０の案内穴３６に挿入し、押圧板３０の受け部３１、３１にクランク２１、２１の保持軸２４、２４を対応させて押し込む。これにより、受け部の係止突部３２がクランク２１の保持溝２５に嵌合し、突部３３が保持軸２４を保持して両者はスナップフィットにより結合される。
【００２５】
綴具１を例えば廃棄するときは、ロック軸５５を挿入方向と反対方向に移動させるとロック爪５６、５６は基体１０のロック凹部から容易に外れ、ロック軸５５を容易に外すことができる。リンクばね５０はばね部５１が自由となり基体１０から外すことができ、押圧板３０の案内穴３６から押圧端部５３を外し、操作レバー４０の案内溝４３から連動端部５２を外す。そして、クランク２１、２１に対し、押圧板３０を上方に強く持ち上げるとクランク２１の保持軸２４から押圧板３０の受け部３１は容易に外すことができる。
【００２６】
このようにして、綴具１は容易に分解することができ、金属部品であるリンクばね５０とプラスチック部品である基体１０、クランク２１、２１、押圧板３０および操作レバー４０とに分解することができる。また、綴具１をファイルの台紙６０から外す場合は、取付ねじ１９、１９をプラスドライバにより外すことにより、容易に綴具１と台紙６０とを分離することができる。
【００２７】
【発明の効果】
以上説明したように、本発明によれば、基体の２列の支持壁部に平行リンク機構を介して押圧板を平行移動可能に支持し、基体の２列の支持壁部に操作レバーを揺動可能に支持するため強度的に優れ、紙葉類を長期にわたって安定して綴じ込むことができる。リンクばねは押圧端部の先端が下方に向けて屈曲されているため、紙葉類を綴じ込むときに移動しやすく所定の位置に綴じ込むことができる。また、基体は２列の支持壁部が形成され、クランクは２列の支持壁部に支持されて強度が大きいため、プラスチックで形成することが可能となり、製造および組立が容易に行える。さらに、本発明に係る綴具および綴具を備えるファイルは分解が容易であり、例えば廃棄時にプラスチック部品と金属部品とを容易に分別することができ廃棄が容易となるという効果を奏する。
【図面の簡単な説明】
【図１】本発明に係る綴具の一実施形態の操作レバーを持ち上げた状態の概略斜視図である。
【図２】（ａ）は図１の平面図、（ｂ）は（ａ）のＡ−Ａ矢視図である。
【図３】図１の右側面図である。
【図４】（ａ）は図２のＢ−Ｂ線に沿う要部拡大断面図、（ｂ）は押圧板の底面図、（ｃ）は（ｂ）のＣ−Ｃ拡大矢視図
【図５】レバーの脱落防止機構を示し、（ａ）は脱出不能状態の一部破断側面図、（ｂ）は脱出可能状態の一部破断側面図である。
【図６】リンクばねの取付状態を示す要部分解斜視図である。
【図７】本発明に係る綴具をファイルに固定する状態を示す概略斜視図である。
【図８】本発明に係る綴具に紙葉類を綴じる動作説明図であり、（ａ）は押圧板が紙葉類に当接した状態を示し、（ｂ）は紙葉類を押さえ込んで閉じた状態を示す。
【符号の説明】
１  綴具
１０  基体
１１  基部
１２、１３  支持壁部
１４  係合突起
１５  綴じ部
１６  綴じ溝
１７  係止溝
１８  取付穴
１９  取付ねじ
２０  平行リンク機構
２１  クランク
２２  腕部
２３  枢支軸
２４  保持軸
２５  保持溝
２６、２７  長辺
２８  円弧部
２９  傾斜部
３０  押圧板
３１  受け部
３２  係止突部
３３  突部
３４、３５  突起
３６  案内穴
４０  操作レバー
４１、４２  切り欠き
４３  案内溝
４４  直線部
４５  傾斜部
４６  ロック部
４７  押圧部
５０  リンクばね
５１  ばね部
５２  連動端部
５３  押圧端部
５５  ロック軸
５６  ロック爪
６０  台紙
６５  紙葉類
【図１】
0004128289.tif 000002
【図２】
0004128289.tif 000003
【図３】
0004128289.tif 000004
【図４】
0004128289.tif 000005
【図５】
0004128289.tif 000006
【図６】
0004128289.tif 000007
【図７】
0004128289.tif 000008
【図８】
0004128289.tif 000009